(57)【要約】【課題】屋根板材の水上側端部を、裂けを生じることなく立ち上がり折曲変形させて止水部に形成できる止水部形成工具を提供すること。【解決手段】挟持ヘッド部５は、この挟持ヘッド部５に差込まれた屋根板材１の水上側端部２の上方に配設する上側挟持片３が、屋根板材１の左右両側に設けられているハゼ部８間の間隔に合致する左右幅若しくはハゼ部８間の間隔よりやや小さい左右幅を有し、屋根板材１の水上側端部２の下方に配設する下側挟持片４は、上側挟持片３の左右幅より小さい左右幅を有して、この下側挟持片４の左右両端部の外方に、挟持ヘッド部５に差込まれた屋根板材１の水上側端部２の左右両側部分が挟持されない非挟持部９が設けられている止水部形成工具。【選択図】図５
2020193540.tif 000002
【特許請求の範囲】
【請求項１】
屋根板材の水上側端部を差込み可能な間隔を置いて対設する上下一対の挟持片を備えた挟持ヘッド部と、この挟持ヘッド部から突設されているハンドル部とから成り、前記挟持ヘッド部の上下の挟持片間に前記屋根板材の水上側端部を差込み、挟持ヘッド部を支点として前記ハンドル部を回動操作すると、屋根板材の水上側端部が立ち上がり折曲されて止水部を形成し得るように構成されている止水部形成工具において、前記挟持ヘッド部は、この挟持ヘッド部に差込まれた前記屋根板材の水上側端部の上方に配設する上側挟持片が、屋根板材の左右両側に設けられているハゼ部間の間隔に合致する左右幅若しくはハゼ部間の間隔よりやや小さい左右幅を有し、屋根板材の水上側端部の下方に配設する下側挟持片が、前記上側挟持片の左右幅より小さい左右幅を有し、この下側挟持片の左右両端部が上側挟持片の左右両端部より内方に位置するようにしてこの上側挟持片と下側挟持片とが対設されていて、この下側挟持片の左右両端部の外方に、挟持ヘッド部に差込まれた屋根板材の水上側端部の左右両側部分が挟持されない非挟持部が設けられていることを特徴とする止水部形成工具。
【請求項２】
前記挟持ヘッド部は、前記上下の挟持片間に前記屋根板材の水上側端部を差込み、挟持ヘッド部を支点として前記ハンドル部を回動操作した際に、挟持ヘッド部の回動移動に伴って屋根板材の水上側端部の上下の挟持片に挟持されている部分が立ち上がり折曲されていくと共に、屋根板材の水上側端部の前記非挟持部に存する左右両側部分が挟持されないで変形していくように構成されていることを特徴とする請求項１記載の止水部形成工具。
【請求項３】
前記挟持ヘッド部は、前記下側挟持片の左右両端部が、前記上側挟持片の左右両端部より１０ｍｍ以上内方に位置するように構成されていて、この下側挟持片の左右両端部の外方に、前記屋根板材の水上側端部の左右両側部分が挟持されない前記非挟持部が設けられていることを特徴とする請求項１，２のいずれか１項に記載の止水部形成工具。
【請求項４】
前記挟持ヘッド部は、一側が開口するコ字状に形成されて、上下に対設している上側部が前記上側挟持片として構成されていると共に、下側部が前記下側挟持片として構成され、この上側挟持片と下側挟持片との間に、前記一側開口部から前記屋根板材の水上側端部を差込み可能に構成されていることを特徴とする請求項１〜３のいずれか１項に記載の止水部形成工具。
【請求項５】
前記挟持ヘッド部に、この挟持ヘッド部への前記屋根板材の水上側端部の差込み量を規制する差込みストッパーが設けられていると共に、この差込みストッパーは、位置変更可能に設けられていて、この差込みストッパーの位置変更により挟持ヘッド部への屋根板材の水上側端部の差込み量を変更可能に構成されていることを特徴とする請求項１〜４のいずれか１記載の止水部形成工具。
【発明の詳細な説明】
【技術分野】
【０００１】
本発明は、屋根板材の水上側端部に止水部（立上がり片）を形成するために用いられる止水部形成工具に関するものである。
【背景技術】
【０００２】
従来から、屋根12の棟部13に雨水等が浸入することを防止する手段として、図９に示すように、屋根板材１の水上側端部２を立上げるように折曲変形させて、この立上がり片を止水部７とすることが行われている。
【０００３】
また、従来、この止水部７を形成するための専用工具も実施されている。具体的には、例えば下記の非特許文献１及び図１０に示すように、屋根板材１の水上側端部２を差込み可能な間隔を置いて対向する上下一対の挟持片30・31を備えた挟持ヘッド部32と、この挟持ヘッド部32から外方に突設されているハンドル部とから成るもので、前記挟持ヘッド部32の上下の挟持片30・31間に前記屋根板材１の水上側端部２を差込み、挟持ヘッド部32を回動支点として前記ハンドル部を回動操作すると、屋根板材１の水上側端部２が立ち上がり折曲されて止水部７が形成されるように構成されている。
【先行技術文献】
【非特許文献】
【０００４】
【非特許文献１】「勘合式立平ドブ立ち上げ器」、［online］、２０１２年１月３１日、株式会社直徳ホームページ、［２０１９年５月２９日検索］、インターネット＜URL：https://www.naotoku.com/pdf/dobutati.pdf＞
【発明の概要】
【発明が解決しようとする課題】
【０００５】
従来の止水部形成工具は、挟持ヘッド部32が、屋根板材１の左右両側に設けられているハゼ部８間の間隔に略合致する左右幅を有するように構成されていて、止水部７折曲形成時に左右のハゼ部８を挟持ヘッド部32の左右両端部が支えることによりハゼ部８が対向内側に倒れるように変形してしまうことを防止しつつ、ハゼ部８を除いた水上側端部２の略全域を止水部７に形成できるように構成されている。
【０００６】
しかしながら、これまでの止水部形成工具は、上下の挟持片30・31の左右幅が同一幅寸法を有するように構成されており、そのため屋根板材１の水上側端部２を立ち上がり折曲した際に、ハゼ部８に近いこの水上側端部２の左右両側部分がハゼ部８に沿うように変形して急角度な折曲変形部33が形成され、このような急角度の折曲変形部33には強い負荷がかかるために場合によってはこの折曲変形部33に裂け34を生じてしまうことがあった（図１０参照）。
【０００７】
本発明は、このような問題点に注目し、これを解決しようとするもので、屋根板材の水上側端部の左右の折曲変形部に裂けを生じることなく止水部を形成することができる止水部形成工具を提供するものである。
【課題を解決するための手段】
【０００８】
添付図面を参照して本発明の要旨を説明する。
【０００９】
屋根板材１の水上側端部２を差込み可能な間隔を置いて対設する上下一対の挟持片３・４を備えた挟持ヘッド部５と、この挟持ヘッド部５から突設されているハンドル部６とから成り、前記挟持ヘッド部５の上下の挟持片３・４間に前記屋根板材１の水上側端部２を差込み、挟持ヘッド部５を支点として前記ハンドル部６を回動操作すると、屋根板材１の水上側端部２が立ち上がり折曲されて止水部７を形成し得るように構成されている止水部形成工具において、前記挟持ヘッド部５は、この挟持ヘッド部５に差込まれた前記屋根板材１の水上側端部２の上方に配設する上側挟持片３が、屋根板材１の左右両側に設けられているハゼ部８間の間隔に合致する左右幅若しくはハゼ部８間の間隔よりやや小さい左右幅を有し、屋根板材１の水上側端部２の下方に配設する下側挟持片４が、前記上側挟持片３の左右幅より小さい左右幅を有し、この下側挟持片４の左右両端部が上側挟持片３の左右両端部より内方に位置するようにしてこの上側挟持片３と下側挟持片４とが対設されていて、この下側挟持片４の左右両端部の外方に、挟持ヘッド部５に差込まれた屋根板材１の水上側端部２の左右両側部分が挟持されない非挟持部９が設けられていることを特徴とする止水部形成工具に係るものである。
【００１０】
また、前記挟持ヘッド部５は、前記上下の挟持片３・４間に前記屋根板材１の水上側端部２を差込み、挟持ヘッド部５を支点として前記ハンドル部６を回動操作した際に、挟持ヘッド部５の回動移動に伴って屋根板材１の水上側端部２の上下の挟持片３・４に挟持されている部分が立ち上がり折曲されていくと共に、屋根板材１の水上側端部２の前記非挟持部９に存する左右両側部分が挟持されないで変形していくように構成されていることを特徴とする請求項１記載の止水部形成工具に係るものである。
【００１１】
また、前記挟持ヘッド部５は、前記下側挟持片４の左右両端部が、前記上側挟持片３の左右両端部より１０ｍｍ以上内方に位置するように構成されていて、この下側挟持片４の左右両端部の外方に、前記屋根板材１の水上側端部２の左右両側部分が挟持されない前記非挟持部９が設けられていることを特徴とする請求項１，２のいずれか１項に記載の止水部形成工具に係るものである。
【００１２】
また、前記挟持ヘッド部５は、一側が開口するコ字状に形成されて、上下に対設している上側部が前記上側挟持片３として構成されていると共に、下側部が前記下側挟持片４として構成され、この上側挟持片３と下側挟持片４との間に、前記一側開口部から前記屋根板材１の水上側端部２を差込み可能に構成されていることを特徴とする請求項１〜３のいずれか１項に記載の止水部形成工具に係るものである。
【００１３】
また、前記挟持ヘッド部５に、この挟持ヘッド部５への前記屋根板材１の水上側端部２の差込み量を規制する差込みストッパー10が設けられていると共に、この差込みストッパー10は、位置変更可能に設けられていて、この差込みストッパー10の位置変更により挟持ヘッド部５への屋根板材１の水上側端部２の差込み量を変更可能に構成されていることを特徴とする請求項１〜４のいずれか１記載の止水部形成工具に係るものである。
【発明の効果】
【００１４】
本発明は上述のように構成したから、従来工具同様、挟持ヘッド部に屋根板材の水上側端部を差込み、ハンドル部を回動操作するだけの簡易操作で止水部を形成することができ、また、挟持ヘッド部は、屋根板材の水上側端部の上方に配設する上側挟持片が、屋根板材の左右両側に設けられているハゼ部間の間隔に合致する左右幅若しくはハゼ部間の間隔よりやや小さい左右幅を有しているため、止水部形成の際に上側挟持片の左右両端部がハゼ部を支持できてハゼ部の対向内側への倒れ変形を防止でき、しかも本発明の挟持ヘッド部は、下側挟持片の左右両端部の外方に、屋根板材の水上側端部の左右両側部分が挟持されない非挟持部が設けられているため、屋根板材の水上側端部の左右両側部分がハゼ部より内側の非挟持部で緩やかなカーブを描くように変形して裂けを生じることがないなど、極めて実用性に優れた止水部形成工具となる。
【００１５】
また、請求項２，３記載の発明においては、前記作用・効果を確実に発揮する非挟持部を備えた挟持ヘッド部を簡易に設計実現可能となる一層実用性に優れた構成の止水部形成工具となる。
【００１６】
また、請求項４記載の発明においては、屋根板材の水上側端部を差込んで止水部を折曲形成可能な挟持ヘッド部を簡易に設計実現可能となる一層実用性に優れた構成の止水部形成工具となる。
【００１７】
また、請求項５記載の発明においては、差込みストッパーの位置変更により形成する止水部の高さを変更でき、現場状況に応じた止水部を簡易に形成可能となる一層実用性に優れた構成の止水部形成工具となる。
【図面の簡単な説明】
【００１８】
【図１】本実施例を示す斜視図である。
【図２】本実施例を示す別角度からの斜視図である。
【図３】本実施例の挟持ヘッド部に、屋根板材の水上側端部を差込んだ状態を示す説明斜視図である。
【図４】図３の要部拡大説明側面図である。
【図５】図３，図４に続いて、ハンドル部を回動操作して挟持ヘッド部に差込んだ（挟持ヘッド部で挟持した）屋根板材の水上側端部を立ち上がり折曲した状態を示す説明斜視図である。
【図６】図５の要部拡大説明側面図である。
【図７】止水部の完成状態（図５，図６に続いて、本実施例を屋根板材に形成した止水部から取り外した状態）を示す説明斜視図である。
【図８】本実施例により止水部が形成されていく様子を示す部分拡大説明平面図である。
【図９】本実施例の使用状態を示す概略説明斜視図である。
【図１０】従来工具により止水部が形成されていく様子を示す部分拡大説明平面図である。
【発明を実施するための形態】
【００１９】
好適と考える本発明の実施形態を、図面に基づいて本発明の作用を示して簡単に説明する。
【００２０】
挟持ヘッド部５の上下の挟持片３・４間に屋根板材１の水上側端部２を差込み、挟持ヘッド部５を支点としてハンドル部６を回動操作すると、屋根板材１の水上側端部２が立ち上がり折曲されて止水部７が形成される。
【００２１】
この際、本発明の挟持ヘッド部５は、屋根板材１の水上側端部２の上方に配設する上側挟持片３が、屋根板材１の左右両側に設けられているハゼ部８間の間隔に合致する左右幅若しくはハゼ部８間の間隔よりやや小さい左右幅を有しているため、水上側端部２が折曲されることによって左右のハゼ部８が対向内側に向かって倒れるように変形しようとしても、上側挟持片３の左右両端部がハゼ部８を支持してこの倒れ変形を防止できる。
【００２２】
また、この際、本発明の挟持ヘッド部５は、屋根板材１の水上側端部２の下方に配設する下側挟持片４が、前記上側挟持片３の左右幅より小さい左右幅を有し、この下側挟持片４の左右両端部が上側挟持片３の左右両端部より内方に位置するようにしてこの上側挟持片３と下側挟持片４とが対設されていて、この下側挟持片４の左右両端部の外方に、上下の挟持片３・４間に差込まれた屋根板材１の水上側端部２の左右両側部分が挟持されない非挟持部９が設けられているので、前記非挟持部９に存する屋根板材１の水上側端部２の左右両側部分が、左右のハゼ部８より内側且つ上側挟持片３の左右両端部よりも内側に存するこの非挟持部９で変形することになる。
【００２３】
従って、上記非特許文献１のような従来工具で止水部７を形成する場合のように、屋根板材１の水上側端部２の左右両側部分が左右のハゼ部８に沿うように変形して急角度な折曲変形部33を形成することはなく、例えば図８に示すようにこの非挟持部９に存する水上側端部２の左右両側部分がハゼ部８より内側で緩やかなカーブを描くように変形していくことになるので、この水上側端部２の左右両側の折曲変形部分には大きな負荷がかからず、裂けを生じない。
【実施例】
【００２４】
本発明の具体的な実施例について図面に基づいて説明する。
【００２５】
本実施例は、図９に示すように、屋根12の棟部13に雨水等が侵入すること防止する目的で、屋根板材１の水上側端部２を立ち上がり折曲変形させて止水部７を形成するために用いられる止水部形成工具に係るものである。図中符号14は棟部13を構成する棟板、15は棟板14を被覆する棟包みである。
【００２６】
また、本実施例は、屋根12の水勾配方向に沿った長さを有する平面視略長方形板状であって、長さ方向と直交する左右両側に上方へ突出状態にハゼ部８が形成されている縦葺屋根形成用の屋根板材１を使用対象とする止水部形成工具に適用した場合を示している。尚、図面は、嵌合立平葺用の屋根板材１を示しているが、本発明はこの屋根板材１用に限定されるものではない。
【００２７】
本実施例は、図１，図２に示すように、屋根板材１の水上側端部２を差込み可能な平面視帯板状の挟持ヘッド部５と、この挟持ヘッド部５の上部から挟持ヘッド部５の長さ方向と直交する方向に突設される棒状のハンドル部６とから成る平面視Ｔ字状の工具に構成されており、前記挟持ヘッド部５で前記屋根板材１の水上側端部２を挟持し、挟持ヘッド部５を支点として前記ハンドル部６を回動操作すると、屋根板材１の水上側端部２が立ち上がり折曲されて止水部７を形成し得るように構成されている。
【００２８】
また、本実施例の挟持ヘッド部５は、屋根板材１の水上側端部２を差込み可能な間隔を置いて対設する上下一対の挟持片３・４を備えている。
【００２９】
具体的には、略同形状の二枚の帯板が、上下に間隔を置いて対設されていると共に、二枚の帯板の一方の長手方向縁同志が止着されることによって側面視で一側が開口するコ字状の前記挟持ヘッド部５に構成されている。
【００３０】
そして、上下に対設する帯板のうちの上側帯板が上側挟持片３、下側帯板が下側挟持片４、この上側挟持片３と下側挟持片４との間の間隙が、屋根板材１の水上側端部２を差込み可能な差込み間隙16として構成され、さらに開口部の存する側が前側（工具先端側）となるように構成されて、この前側開口部から上側挟持片３と下側挟持片４との間の差込み間隙16に屋根板材１の水上側端部２を差込み可能に構成されている。
【００３１】
また、本実施例の挟持ヘッド部５について更に説明すると、この挟持ヘッド部５に差込まれた前記屋根板材１の水上側端部２の上方に配設する上側挟持片３は、屋根板材１の左右両側に設けられているハゼ部８間の間隔よりやや小さい左右幅を有している。
【００３２】
尚、この上側挟持片３は、屋根板材１の左右両側に設けられているハゼ部８間の間隔に略合致する左右幅を有するように構成されていても良い。
【００３３】
従って、挟持ヘッド部５の上下の挟持片３・４間に屋根板材１の水上側端部２を差込み、挟持ヘッド部５を支点として前記ハンドル部６を上方へ起動回動操作すると、屋根板材１の水上側端部２の上下の挟持片３・４に挟持されている部分が、前記上側挟持片３の先端部が接している部分（挟持ヘッド部５の回動支点）を起点に折曲していくように構成されており（図３〜図６参照）、この際、屋根板材１の水上側端部２が折曲されることによって左右のハゼ部８が対向内側に向かって倒れようとしても、上側挟持片３の左右両端部にハゼ部８が接することによってハゼ部８の倒れ変形が防止されて、図１，図７に示すような止水部７だけが形成されるように構成されている。
【００３４】
また、屋根板材１の水上側端部２の下方に配設する下側挟持片４は、図１，図２に示すように前記上側挟持片３の左右幅より小さい左右幅を有しており、この下側挟持片４の左右両端部が上側挟持片３の左右両端部より内方に位置するようにしてこの上側挟持片３と下側挟持片４とが対設されていて、この下側挟持片４の左右両端部の外方に、挟持ヘッド部５に差込まれた屋根板材１の水上側端部２の左右両側部分が挟持されない非挟持部９が設けられている。
【００３５】
具体的には、下側挟持片４の左端部が上側挟持片３の左端部より１０ｍｍ以上（好ましくは１２〜１３ｍｍ程）内方に位置し、且つ下側挟持片４の右端部が上側挟持片３の右端部より１０ｍｍ以上（好ましくは１２〜１３ｍｍ程）内方に位置することとなるように、下側挟持片４が上側挟持片３より短い左右幅を有する形状に形成されていて、この下側挟持片４の左右両端部の外方であって上側挟持片３の左右両端部の下方に存する空間部が、前記非挟持部９として構成されている。
【００３６】
従って、挟持ヘッド部５に屋根板材１の水上側端部２を差込んで立ち上がり折曲させた際に、前記非挟持部９に存する屋根板材１の水上側端部２の左右両側部分は、前記上側挟持片３の左右両端部より内側に存する非挟持部９で、前記下側挟持片４の左右両端部に接している部分を起点に挟持されないで変形していくことになる（図８参照）。そのため、変形起点の折曲部やハゼ部８に臨設する折曲部が急角度で折曲されることなく、緩やかなカーブを描くように変形するので、非挟持部９に存する左右両側の折曲変形部分には大きな負荷がかからず、裂けを生じない。
【００３７】
また、この上側挟持片３は、その左右両端部の後側（挟持ヘッド部５の開口部を有する先端側と反対（基端）側）が左右対称のテーパ縁に形成されていて、この上側挟持片３の後側部分が、後方へ行くほど左右幅が幅狭くなる形状に形成されている。そして、この上側挟持片３の左右両端部にテーパ縁があることにより、前記非挟持部９に存する屋根板材１の水上側端部２の左右両側の折曲変形部分の変形状況等を作業者が確認し易くなると共に、止水部７折曲形成時に上側挟持片３がハゼ部１と接触しにくくなるように構成されている。
【００３８】
また、本実施例は、前記挟持ヘッド部５に、この挟持ヘッド部５への前記屋根板材１の水上側端部２の差込み量を規制する差込みストッパー10が設けられていると共に、この差込みストッパー10は、位置変更可能に設けられていて、この差込みストッパー10の位置変更により挟持ヘッド部５への屋根板材１の水上側端部２の差込み量を変更可能に構成されている。
【００３９】
具体的には、挟持ヘッド部５の左右部に、前記上側挟持片３と下側挟持片４とを貫通し且つ上側挟持片３と下側挟持片４との間の前記差込み間隙16に連通するビス孔11が設けられ、この左右夫々のビス孔11に着脱自在にビス10が螺着されていて、このビス孔11に螺着された左右のビス10に上側挟持片３と下側挟持片４との間に差込まれた屋根板材１の水上側端部２が当接することで、この水上側端部２の挟持ヘッド部５への差込み量が規制されるように構成されている。即ち、本実施例は、ビス孔11に螺着されるビス10が前記差込みストッパー10として機能するように構成されている。
【００４０】
また、前記ビス孔11は、挟持ヘッド部５の後側寄りの左右部に夫々設けられていると共に、この左右部には、いずれも前後に位置をずらしてビス孔11が二箇所ずつ設けられていて、この二箇所のビス孔11を選択してビス10を螺着することにより、水上側端部２の挟持ヘッド部５への差込み量を変更でき、これにより形成される止水部７の立ち上がり高さを二段階に変更できるように構成されている。
【００４１】
また、前記上側挟持片３の上面の各ビス孔11の近傍には、形成される止水部７の高さを示した「Ｈ３０」と「Ｈ２５」の文字を表示し、この表示を目安に現場状況に応じた止水部７を形成すべくビス孔11を選択してビス10を螺着できるように構成されている（図１，図３参照）。
【００４２】
図中符号17は屋根下地材、18は防水材である。
【００４３】
尚、本発明は、本実施例に限られるものではなく、各構成要件の具体的構成は適宜設計し得るものである。
【符号の説明】
【００４４】
１  屋根板材
２  水上側端部
３  上側挟持片
４  下側挟持片
５  挟持ヘッド部
６  ハンドル部
７  止水部
８  ハゼ部
９  非挟持部
10  差込みストッパー
【図１】
2020193540.tif 000003
【図２】
2020193540.tif 000004
【図３】
2020193540.tif 000005
【図４】
2020193540.tif 000006
【図５】
2020193540.tif 000007
【図６】
2020193540.tif 000008
【図７】
2020193540.tif 000009
【図８】
2020193540.tif 000010
【図９】
2020193540.tif 000011
【図１０】
2020193540.tif 000012